(57)【要約】【課題】より確実にカバーの除電を行うことのできるイオン生成装置および当該イオン生成装置を備える髪ケア装置を得る。【解決手段】イオン生成装置１００は、放電を行う第１電極５１と、当該第１電極５１とは別に設けられた第２電極５２とを有し、イオンを生成するイオン生成部５０と、当該イオン生成部５０で生成されたイオンを吹き出すイオン吹出口２０ｃが形成されたカバー２０と、を備えている。また、カバー２０には、第２電極５２に接触する突部２１が設けられている。そして、第２電極５２と突部２１とが、カバー２０とイオン生成部５０との組付方向と交差する方向で対向する面５２ｈ、２１ｂで接触している。【選択図】図８
2013081646.tif 000002
【特許請求の範囲】
【請求項１】
放電を行う第１電極と、当該第１電極とは別に設けられた第２電極とを有し、イオンを生成するイオン生成部と、当該イオン生成部で生成されたイオンを吹き出すイオン吹出口が形成されたカバーと、を備えるイオン生成装置であって、
前記カバーには、前記第２電極に接触する突部が設けられており、
前記第２電極と前記突部とが、前記カバーと前記イオン生成部との組付方向と交差する方向で対向する面で接触していることを特徴とするイオン生成装置。
【請求項２】
前記第２電極は、前記カバーと前記イオン生成部との組付方向に面する前面と、前記カバーと前記イオン生成部との組付方向と交差する方向に面する側面とを備えており、
前記突部は、前記第２電極の側面に接触していることを特徴とする請求項１に記載のイオン生成装置。
【請求項３】
前記突部は、前記第２電極の側面および前面に接触していることを特徴とする請求項２に記載のイオン生成装置。
【請求項４】
前記第２電極は、後面を備えており、
前記突部は、前記第２電極の側面、前面および後面に接触していることを特徴とする請求項３に記載のイオン生成装置。
【請求項５】
前記第２電極は、前記突部に圧入された状態で接触していることを特徴とする請求項１〜４のうちいずれか１項に記載のイオン生成装置。
【請求項６】
前記イオン生成部が前記第１電極と第２電極の位置を規制する固定用リブを複数備えており、前記固定用リブと固定用リブの間で前記突部と前記第２電極が接触することを特徴とする請求項１〜５のうちいずれか１項に記載のイオン生成装置。
【請求項７】
請求項１〜６のうちいずれか１項に記載のイオン生成装置を備えることを特徴とする髪ケア装置。
【発明の詳細な説明】
【技術分野】
【０００１】
本発明は、イオン生成装置および当該イオン生成装置を備える髪ケア装置に関する。
【背景技術】
【０００２】
従来、髪ケア装置として、放電を行う第１電極と当該第１電極とは別に設けられた第２電極とを有するイオン生成部を備えたヘアドライヤが知られている（例えば特許文献１参照）。
【０００３】
この特許文献１では、第１電極と第２電極との間に高電圧を印加して放電を行うことでイオンを生成し、生成したイオンをカバーに形成されたイオン吹出口から吹き出すようになっている。そして、イオン吹出口から吹き出したイオンを髪にあてることで、髪ケア効果を高めている。
【０００４】
さらに、この特許文献１では、カバーに突部を設け、当該突部を第２電極に接触させることで、イオン生成部で生成したイオンにより帯電するカバーを除電し、イオン吹出口から吹き出すイオンの量が減少してしまうのを抑制している。
【先行技術文献】
【特許文献】
【０００５】
【特許文献１】特開２００８−２９８１３号公報
【発明の概要】
【発明が解決しようとする課題】
【０００６】
しかしながら、上記従来の技術では、カバーに設けた突部を、第２電極のカバー組付方向に対向する面に突き当てることで、突部を第２電極に接触させている。そのため、カバーの組付誤差等により、突部と第２電極とが接触しないおそれがあり、確実にカバーの除電を行うことができなくなるおそれがある。
【０００７】
そこで、本発明は、より確実にカバーの除電を行うことのできるイオン生成装置および当該イオン生成装置を備える髪ケア装置を得ることを目的とする。
【課題を解決するための手段】
【０００８】
本発明の第１の特徴は、放電を行う第１電極と、当該第１電極とは別に設けられた第２電極とを有し、イオンを生成するイオン生成部と、当該イオン生成部で生成されたイオンを吹き出すイオン吹出口が形成されたカバーと、を備えるイオン生成装置であって、前記カバーには、前記第２電極に接触する突部が設けられており、前記第２電極と前記突部とが、前記カバーと前記イオン生成部との組付方向と交差する方向で対向する面で接触していることを要旨とする。
【０００９】
本発明の第２の特徴は、前記第２電極は、前記カバーと前記イオン生成部との組付方向に面する前面と、前記カバーと前記イオン生成部との組付方向と交差する方向に面する側面とを備えており、前記突部は、前記第２電極の側面に接触していることを要旨とする。
【００１０】
本発明の第３の特徴は、前記突部は、前記第２電極の側面および前面に接触していることを要旨とする。
【００１１】
本発明の第４の特徴は、前記第２電極は、後面を備えており、前記突部は、前記第２電極の側面、前面および後面に接触していることを要旨とする。
【００１２】
本発明の第５の特徴は、前記第２電極は、前記突部に圧入された状態で接触していることを要旨とする。
【００１３】
本発明の第６の特徴は、前記イオン生成部が前記第１電極と第２電極の位置を規制する固定用リブを複数備えており、前記固定用リブと固定用リブの間で前記突部と前記第２電極が接触することを要旨とする。
【００１４】
本発明の第７の特徴は、前記イオン生成装置を備える髪ケア装置であることを要旨とする。
【発明の効果】
【００１５】
本発明によれば、第２電極と突部とを、カバーとイオン生成部との組付方向と交差する方向で対向する面で接触させている。そのため、カバーが当該カバーとイオン生成部との組付方向に位置ずれしたとしても、第２電極と突部との接触状態を保つことができる。その結果、より確実にカバーの除電を行うことのできるイオン生成装置を得ることができる。
【００１６】
また、より確実にカバーの除電を行うことのできるイオン生成装置を用いることで、髪ケア効果をより高めることのできる髪ケア装置を得ることができる。
【図面の簡単な説明】
【００１７】
【図１】本発明の一実施形態にかかる髪ケア装置としてのヘアドライヤの側面図である。
【図２】本発明の一実施形態にかかる髪ケア装置としてのヘアドライヤの斜視図である。
【図３】本発明の一実施形態にかかる髪ケア装置としてのヘアドライヤを吹出口側から見た正面図である。
【図４】本発明の一実施形態にかかる髪ケア装置としてのヘアドライヤの断面図である。
【図５】本発明の一実施形態にかかる髪ケア装置としてのヘアドライヤの本体部内で金属微粒子生成部とミスト生成部が設けられる部分を示す平面図である。
【図６】本発明の一実施形態にかかる髪ケア装置としてのヘアドライヤの本体部内で金属微粒子生成部とミスト生成部が設けられる部分を吹出口側から見た正面図である。
【図７】図６の金属微粒子生成部とミスト生成部が設けられる部分を拡大して示す正面図である。
【図８】図４のミスト生成部が設けられる部分を拡大して示す断面図である。
【図９】イオン生成装置の変形例を模式的に示す断面図である。
【発明を実施するための形態】
【００１８】
以下、本発明の好適な実施形態について図面を参照しながら説明する。
【００１９】
本実施形態にかかる髪ケア装置としてのヘアドライヤ１は、使用者が手で握る部分としての把持部１ａと、把持部１ａと交差する方向に結合された本体部１ｂとを備えており、使用時には把持部１ａと本体部１ｂとで略Ｔ字状あるいは略Ｌ字状（本実施形態では略Ｔ字状）の外観を呈するように構成されている。把持部１ａの突出端部からは、電源コード２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。先端部１ｄは、本体部１ｂに沿う位置まで折り畳むことができるようになっている。
【００２０】
ヘアドライヤ１の外壁をなすケース３は、複数の分割体を継ぎ合わせて構成されている。ケース３の内部には空洞が形成されており、この空洞内に、各種電気部品が収容されている。
【００２１】
本体部１ｂの内部には、その長手方向（図４の左右方向）の一方側（右側）の入口開口４ａから出口開口４ｂに至る風洞４が形成されており、この風洞４内に収容されたファン５を回転させることによって空気流Ｗ１が形成される。すなわち、空気流Ｗ１は、外部から入口開口４ａを介して風洞４内に流入し、当該風洞４内を通って出口開口４ｂから外部に排出される。
【００２２】
また、本体部１ｂにおいて、ケース３の外筒３ａの内部には、略円筒状の内筒６が設けられており、空気流Ｗ１はこの内筒６の内側を流れるようになっている。内筒６の内側では、最も上流側にファン５が配置され、その下流側にファン５を駆動するモータ７が配置され、モータ７のさらに下流側に加熱機構としてのヒータ８が配置されている。ヒータ８を作動させたときには、出口開口４ｂから温風が吹き出されることになる。なお、本実施形態では、ヒータ８は、帯状かつ波板状の電気抵抗体を内筒６の内周に沿って巻回して配置したものとして構成されているが、かかる構成には限定されない。
【００２３】
そして、本体部１ｂ内で、ケース３と内筒６との間に形成された空洞９に、２つ（複数）の金属微粒子生成部（イオン生成部）３０，４０や、ミスト生成部（イオン生成部）５０、ミスト生成部５０に電圧を印加する電圧印加回路１２等が収容されている。また、空洞９の電圧印加回路１２が収容された部位とは別の部位には、金属微粒子生成部３０，４０に電圧を印加する電圧印加回路（図示せず）が収容されている。
【００２４】
電圧印加回路１２および金属微粒子生成部３０，４０に電圧を印加する電圧印加回路（図示せず）は、把持部１ａ内、または本体部１ｂ内で把持部１ａの延長線上となる領域に配置するのが好適である。使用者が把持部１ａを持ったときに、電圧印加回路１２および電圧印加回路（図示せず）の質量に起因する回転モーメントを小さくして、使用者の手に作用する負荷を小さくするためである。
【００２５】
また、これら電圧印加回路１２および電圧印加回路（図示せず）を、内筒６を挟んで相互に反対側となる位置に配置するのが好適である。こうすれば、電圧印加回路１２と電圧印加回路（図示せず）との相互干渉による電圧の低下や不安定化等の不具合を抑制することができる。
【００２６】
さらに、本実施形態では、空洞９の側面部分（空洞９の電圧印加回路１２が収容された部位とは別の部位）に、温風と冷風の切り換えや動作モード等を行うスイッチ部（図示せず）が収容されている。
【００２７】
また、把持部１ａの先端部１ｄ内の空洞には、電源のＯＮとＯＦＦとの切り換え等を行う別のスイッチ部１６が収容されている。これら電気部品同士は、金属導体等からなる芯線を絶縁性樹脂等で被覆したリード線１７によって接続されている。なお、金属微粒子生成部３０に繋がるリード線１７、金属微粒子生成部４０に繋がるリード線１７およびミスト生成部５０に繋がるリード線１７は、相互に交叉させることなく極力離間させて配索するのが好適である。それぞれのリード線１７を流れる電流の相互干渉によって、金属微粒子生成部３０，４０あるいはミスト生成部５０で所望の電圧が得られなくなったり、電圧が不安定になったりするのを抑制するためである。
【００２８】
また、温風と冷風の切り換えや動作モード等を行うスイッチ部（図示せず）は、ケース３の表面を切り欠いて一体に形成した操作子１９を操作することで、内部接点の開閉状態を切り換えることができるように構成されている。そして、操作子１９の上方には、現在選択されているモードを表示する表示部１４が形成されている。
【００２９】
また、スイッチ部１６は、ケース３の表面に露出した操作子１８を操作することで、内部接点の開閉状態を切り換えることができるように構成されている。
【００３０】
内筒６は、筒状部６ａと、筒状部６ａから径方向外側に向けて伸びて周方向に分散して配置された複数の支持リブ６ｂ（図４では一箇所のみ図示）と、支持リブ６ｂを介して筒状部６ａに接続され当該筒状部６ａの軸方向と略直交する方向に張り出すフランジ部６ｃと、を有している。筒状部６ａとフランジ部６ｃとの間には間隙ｇ１が形成されており、この間隙ｇ１を介して空洞９内に空気流Ｗ１の一部が分岐されて流入し、分岐流Ｗ２が形成されている。なお、分岐流Ｗ２の空洞９内への導入口となる間隙ｇ１は、ファン５の下流でありかつヒータ８の上流側となる位置に設けられている。したがって、分岐流Ｗ２は、ヒータ８によって加熱される前の、比較的冷たい空気流となる。
【００３１】
そして、分岐流Ｗ２の一部はさらに分岐されて分岐流Ｗ３となっている。この分岐流Ｗ３は、後述する金属微粒子吹出口（イオン吹出口）２０ａ，２０ｂやミスト吹出口（イオン吹出口）２０ｃを通過せず、内筒６とケース３との間を通って出口開口４ｂの外周部分から吹き出す比較的冷たい空気流となっている。
【００３２】
ケース３には、空洞９の出口開口４ｂ側となる位置に、楕円形の貫通孔３ｂが形成されており、この貫通孔３ｂを絶縁性の合成樹脂材料からなるカバー２０で塞いである。カバー２０には、金属微粒子吹出口（イオン吹出口）２０ａ，２０ｂとミスト吹出口（イオン吹出口）２０ｃとがそれぞれ独立して形成されている。カバー２０は、金属微粒子あるいはミストによる帯電を抑制するため、ケース３よりも導電性を低くするのが好適である。カバー２０が帯電すると、その電荷によって、金属微粒子生成部３０，４０やミスト生成部５０から電荷を帯びた金属微粒子およびマイナスイオンやミストが放出されにくくなるからである。カバー２０の帯電を抑制するためには、帯電を起こしにくい材料、例えば、ＰＣ（ポリカーボネート）樹脂を用いてカバー２０を形成し、カバー２０の材質を帯電を起こしにくい材質とするのが好ましい。なお、この部分では、カバー２０がヘアドライヤ１の外壁を成している。
【００３３】
また、本実施形態では、金属微粒子吹出口２０ａ，２０ｂの孔径を、ミスト吹出口２０ｃの孔径より小さくしてある。すなわち、ミスト吹出口２０ｃを介してのミスト生成部５０のメンテナンスや状態の確認等をより容易に行わせるとともに、金属微粒子吹出口２０ａ，２０ｂを介しての手指や道具等の誤進入を抑制してある。
【００３４】
また、カバー２０の内側にはリブ（突部）２１が設けられており、このリブ（突部）２１を後述するミスト生成部５０の放電対向電極（第２電極）５２に当接させることで、カバー２０の除電を行うようにしている。
【００３５】
このように、本実施形態では、カバー２０とミスト生成部（イオン生成部）５０、カバー２０と金属微粒子生成部（イオン生成部）３０，４０とで、３つのイオン生成装置１００が形成されている。
【００３６】
さらに、本実施形態では、ミスト吹出口２０ｃの周辺部２０ｄに、金属微粒子吹出口（イオン吹出口）２０ａ，２０ｂを形成している。
【００３７】
具体的には、金属微粒子吹出口２０ａと金属微粒子吹出口２０ｂとを、ミスト吹出口２０ｃが中心となるように並設している。
【００３８】
すなわち、カバー２０には、金属微粒子吹出口２０ａ、２０ｂおよびミスト吹出口２０ｃが、ヘアドライヤ１の幅方向（図３の左右方向）に、金属微粒子吹出口２０ａ、ミスト吹出口２０ｃ、金属微粒子吹出口２０ｂの順に並ぶように形成されている。
【００３９】
このような配置とすることで、マイナスに帯電しているミスとが、ミスト吹出口２０ｃの周辺部２０ｄに形成された金属微粒子吹出口（イオン吹出口）２０ａ、２０ｂから吹き出されるマイナスイオンによって、外側へ拡散（離散）してしまうのを抑制できるようにしている。
【００４０】
その結果、ミストの直進性が向上してミストが髪に届きやすくなり、髪ケア効果をより高めることができる。
【００４１】
さらに、ミスト吹出口２０ｃの下流側かつ下方に、ミストの吹き出し方向に延在するように壁部２０ｅを設けている。この壁部２０ｅを設けることで、ミスト吹出口２０ｃから吹き出されたミストが下方に拡散（離散）してしまうのを抑制できるようにしている。
【００４２】
また、金属微粒子生成部３０，４０およびミスト生成部５０は、空洞９内でヘアドライヤ１の幅方向（図７の左右方向）に、金属微粒子生成部３０、ミスト生成部５０、金属微粒子生成部４０の順に並列に配置されている。
【００４３】
そして、ミスト生成部５０と、当該ミスト生成部５０と隣り合う金属微粒子生成部（マイナスイオン生成部）３０、４０との間には、遮蔽板（仕切部）６ｄが設けられている。そして、図５および図７に示すように、遮蔽板６ｄを、ヘアドライヤ１の上下方向およびミストの吹き出し方向（図７の左右方向）に延在するように配置することで、金属微粒子やミストが金属微粒子吹出口２０ａ、２０ｂおよびミスト吹出口２０ｃから吹き出される前に混合してしまうのを抑制している。
【００４４】
金属微粒子生成部３０，４０は、導電性を有する金属材料によって形成される放電極（第１電極）３２，４２および放電対向電極（第２電極）３３，４３を有している。そして、これら放電極３２，４２と放電対向電極３３，４３との間に電圧印加回路（図示せず）によって高電圧（本実施形態では、−１ｋＶ〜−３ｋＶ）を印加して放電（コロナ放電等）を生じさせ、その放電作用によって放電極３２，４２や放電対向電極３３，４３等から金属微粒子（金属の分子やマイナスイオン等）を放出させるものである。
【００４５】
この金属微粒子生成部３０，４０は、本実施形態では、ほぼ同一の形状に形成されているが、金属微粒子生成部３０，４０の形状がそれぞれ異なるようにしてもよい。
【００４６】
放電極３２，４２は、極細の線材として構成され、その幅（直径）を、１０〜４００［μｍ］（好適には３０〜３００［μｍ］、より一層好適には５０〜２００［μｍ］）に設定してある。なお、断面形状としては、円形、楕円形、多角形形状等、各種採用することができる。
【００４７】
また、放電極３２，４２は、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等として構成することができる。金属微粒子生成部３０，４０で生成され放出された金属の微粒子に、金や、銀、銅等が含まれている場合、当該金属の微粒子によって抗菌作用を生じさせることができる。また、金属の微粒子に、白金、亜鉛、チタン等が含まれている場合、当該金属の微粒子によって抗酸化作用を生じさせることができる。なお、白金の微粒子は、抗酸化作用が極めて高いことが判明している。また、金属微粒子生成部３０，４０は、放電作用によってイオン（例えばマイナスイオン、例えばＮＯ２−、ＮＯ３−等）を生じさせ、このイオンを、放電極３２，４２や、放電対向電極３３，４３、他の金属材料や金属成分を含む部材等に衝突させることで、金属微粒子を生成するものであってもよい。すなわち、放電対向電極３３，４３や上記他の部材を、上記遷移金属を含む材料によって構成し、これらから金属微粒子を放出させるようにしてもよい。
【００４８】
放電対向電極３３，４３は、図７に示すように、略矩形状の基体部３３ａ，４３ａと、基体部３３ａ，４３ａから突設される端子部３３ｂ，４３ｂとを有している。
【００４９】
基体部３３ａ，４３ａの略中央位置には、金属微粒子の放出口となる円形状の開口部３３ｃ，４３ｃが形成されている。図７に示すように、正面視では、放電極３２，４２は、開口部３３ｃ，４３ｃのほぼ中心に配置される。一方、端子部３３ｂ，４３ｂには、リード線１７を挿通して結線するための貫通孔３３ｄ，４３ｄが穿設されている。
【００５０】
上記構成の金属微粒子生成部について発明者らが鋭意研究を重ねた結果、白金微粒子を毛髪等に供給して毛髪に抗酸化作用を付与し、毛髪等のダメージを回復させる際に、白金微粒子に加えて亜鉛微粒子を毛髪等に供給すると毛髪等のダメージをより効果的に回復できることが判明した。
【００５１】
そこで、本実施形態では、金属微粒子生成部３０の放電極３２に含まれる金属を白金、金属微粒子生成部４０の放電極４２に含まれる金属を亜鉛とした。なお、白金を放電極４２に、亜鉛を放電極３２に含ませるようにしてもよい。
【００５２】
ミスト生成部５０は、導電性を有する金属材料によって形成される放電極（第１電極）５１および放電対向電極（第２電極）５２を有している。そして、これら放電極５１と放電対向電極５２との間に電圧印加回路１２によって高電圧（本実施形態では、−３ｋＶ〜−５ｋＶ）を印加することで放電（コロナ放電等）を生じさせるものである。
【００５３】
本実施形態では、放電極５１は針状に形成されており、放電対向電極５２は放電極５１の先端側に離間配置した環状かつ板状の部材として形成されている。
【００５４】
放電対向電極５２は、図７に示すように、略円環状の基体部５２ａと、基体部５２ａから突設される端子部５２ｂとを有している。
【００５５】
基体部５２ａの略中央位置には、金属微粒子の放出口となる円形状の開口部５２ｃが形成されている。図７に示すように、正面視では、放電極５１は、開口部５２ｃのほぼ中心に配置される。一方、端子部５２ｂには、リード線１７を挿通して結線するための貫通孔５２ｄが穿設されている。
【００５６】
また、ミスト生成部５０として、放電極５１を冷却するための冷却装置５３と、当該冷却装置５３によって放電極５１を冷却する際に発生する熱を放熱する放熱フィン５４と、を備える静電霧化装置を用いている。
【００５７】
具体的には、ミスト生成部５０は、冷却装置５３としてのペルチェ素子５３ａおよび熱伝導性を有する部材（例えば金属部材等）からなる冷却板５３ｂとを含んでおり、ペルチェ素子５３ａによって冷却された冷却板５３ｂの表面に空気中の水分を結露させ、結露水を生じるようになっている。そして、ミスト生成部５０の上流側には、冷却板５３ｂを冷却する際に発生する熱を放熱する放熱フィン５４が設けられている。かかる構成では、供給された水、すなわち結露水が、放電作用によって微粒化され、ナノメータサイズの非常に細かいミスト（マイナスイオンを含むマイナスに帯電されたミスト）が生成される。
【００５８】
また、金属微粒子生成部３０，４０およびミスト生成部５０は、内筒６の上壁６ｆから突設された固定リブ（固定部材）６ｇに載置することで、金属微粒子生成部３０，４０およびミスト生成部５０が内筒６の上方に固定されている。
【００５９】
なお、固定リブ６ｇの形状や突出位置を様々に設定することで、空洞（分岐流路）９を流れる風の風向や風量を所望の量とすることが可能である。すなわち、固定リブ６ｇは、空洞（分岐流路）９を流れる風の風向や風量を制御する制御手段として利用することができる。
【００６０】
ここで、本実施形態では、放電対向電極（第２電極）５２とリブ（突部）２１とを、前後方向（カバー２０とミスト生成部５０との組付方向）と交差する方向で対向する面で接触させている。
【００６１】
具体的には、放電対向電極（第２電極）５２は、前後方向（カバー２０とミスト生成部５０との組付方向）前方に面する前面５２ｇと、ヘアドライヤ１の幅方向（カバー２０とイオン生成部５０との組付方向と交差する方向）外側に面する側面５２ｈとを備えている。そして、放電対向電極（第２電極）５２の側面５２ｈにリブ（突部）２１を面接触させている。
【００６２】
さらに、本実施形態では、リブ（突部）２１は、放電対向電極（第２電極）５２の前面５２ｇにも面接触している。
【００６３】
そして、本実施形態では、カバー２０を組み付ける際に、リブ（突部）２１に放電対向電極（第２電極）５２を圧入することで、放電対向電極（第２電極）５２の前面５２ｇおよび側面５２ｈにリブ（突部）２１を面接触させている。
【００６４】
具体的には、リブ２１は、放電対向電極（第２電極）５２の基体部５２ａの外周の４箇所で、放電対向電極（第２電極）５２の前面５２ｇおよび側面５２ｈに接触するように、カバー２０の裏面の４箇所に突設されている。
【００６５】
そして、４つのリブ２１には、先端側に放電対向電極（第２電極）５２の挿入をガイドするガイド斜面２１ａが形成されており、ガイド斜面２１ａに連設するように横側当接面２１ｂが形成されている。そして、横側当接面２１ｂに連設するように前側当接面２１ｃが形成されている。
【００６６】
また、４つのリブ２１は、２つのリブ２１が互いに対向するように、９０度ずつずらした位置に設けられている。このとき、４つのリブ２１は、互いに対向するリブ２１のガイド斜面２１ａ同士、横側当接面２１ｂ同士が対向するように設けられている。そして、互いに対向するガイド斜面２１ａは、先端（後方）に向かうにつれて幅広のテーパ状となるように形成されている。
【００６７】
さらに、互いに対向する横側当接面２１ｂの幅が、放電対向電極（第２電極）５２の基体部５２ａの径よりも若干幅狭となるようにすることで、放電対向電極（第２電極）５２が互いに対向するリブ２１によって狭持されるようにしている。
【００６８】
かかる構成とすることで、放電対向電極（第２電極）５２は、ガイド斜面２１ａにガイドされながら挿入されて、放電対向電極（第２電極）５２の側面５２ｈが横側当接面２１ｂに面接触するように圧入される。さらに、奥まで挿入することで、放電対向電極（第２電極）５２は、リブ２１に圧入された状態で、側面５２ｈが横側当接面２１ｂに面接触するとともに、前面５２ｇが前側当接面２１ｃと面接触することとなる。
【００６９】
さらに、本実施形態では、ミスト生成部（イオン生成部）５０は、放電極（第１電極）５１と放電対向電極（第２電極）５２との位置を規制する固定用リブ５５を複数備えている。
【００７０】
具体的には、４つの固定用リブ５５は、２つの固定用リブ５５が互いに対向するように、９０度ずつずらした位置に設けられている。
【００７１】
また、放電対向電極（第２電極）５２の基体部５２ａの外周の４箇所に半円状に突出した突出部５２ｅが設けられている。そして、突出部５２ｅが設けられた位置に形成された貫通孔５２ｆに固定用リブ５５をそれぞれ挿入することで、放電極（第１電極）５１と放電対向電極（第２電極）５２との位置を規制している。
【００７２】
このとき、固定用リブ５５と固定用リブ５５の間でリブ（突部）２１と放電対向電極（第２電極）５２が接触するようにしている。すなわち、カバー２０とミスト生成部（イオン生成部）５０とを組み付けた状態（放電対向電極５２がリブ２１に圧入された状態）で、固定用リブ５５とリブ（突部）２１とが接触しないようにしている。
【００７３】
以上、説明したように、本実施形態では、放電対向電極（第２電極）５２とリブ（突部）２１とを、カバー２０とミスト生成部（イオン生成部）５０との組付方向と交差する方向で対向する面（側面５２ｈと横側当接面２１ｂ）で面接触させている。そのため、カバー２０が当該カバー２０とミスト生成部（イオン生成部）５０との組付方向に位置ずれしたとしても、放電対向電極（第２電極）５２とリブ（突部）２１との接触状態を保つことができる。その結果、より確実にカバー２０の除電を行うことのできるイオン生成装置１００を得ることができる。
【００７４】
このように、カバー２０が当該カバー２０とミスト生成部（イオン生成部）５０との組付方向に位置ずれした場合に、放電対向電極（第２電極）５２とリブ（突部）２１との接触状態を保つことができるようにすることで、カバー２０とミスト生成部（イオン生成部）５０との組付誤差の許容範囲が広くなり、容易に製造することができるようになる。
【００７５】
また、本実施形態では、リブ（突部）２１は、放電対向電極（第２電極）５２の前面５２ｇにも面接触している。その結果、放電対向電極（第２電極）５２とリブ（突部）２１との接触面積が増大し、より十分にカバー２０の除電を行うことができるようになる。
【００７６】
また、本実施形態では、放電対向電極（第２電極）５２は、リブ２１に圧入された状態で、側面５２ｈが横側当接面２１ｂに面接触するとともに、前面５２ｇが前側当接面２１ｃと面接触している。このように、放電対向電極（第２電極）５２をリブ２１に圧入させることで、放電対向電極（第２電極）５２とリブ２１との接触圧を高めることができ、より安定してカバー２０の除電を行うことができるようになる。
【００７７】
さらに、本実施形態では、固定用リブ５５と固定用リブ５５の間でリブ（突部）２１と放電対向電極（第２電極）５２が接触するようにしている。すなわち、カバー２０とミスト生成部（イオン生成部）５０とを組み付けた状態（放電対向電極５２がリブ２１に圧入された状態）で、固定用リブ５５とリブ（突部）２１とが接触しないようにしている。そたがって、固定用リブ５５とリブ（突部）２１との接触による除電効果の低下を抑制することができ、より確実かつより安定的にカバー２０の除電を行うことができるようになる。
【００７８】
また、より確実にカバー２０の除電を行うことのできるイオン生成装置１００を用いることで、髪ケア効果をより高めることのできるヘアドライヤ(髪ケア装置)を得ることができる。
【００７９】
以上、本発明の好適な実施形態について説明したが、本発明は上記実施形態には限定されず、種々の変形が可能である。
【００８０】
例えば、図９に示すように、リブ（突部）２１が、放電対向電極（第２電極）５２の前面５２ｇ、側面５２ｈ、後面５２ｉで面接触するようにしてもよい。
【００８１】
具体的には、図９では、ガイド斜面２１ａと横側当接面２１ｂとの間に、後側当接面２１ｄが形成されている。
【００８２】
そして、後側当接面２１ｄが後面５２ｉと面接触するようにしている。
【００８３】
すなわち、図９においては、放電対向電極（第２電極）５２は、リブ２１に圧入嵌合された状態で、前面５２ｇ、側面５２ｈおよび後面５２ｉが、それぞれ前側当接面２１ｃ、横側当接面２１ｂおよび後側当接面２１ｄと面接触している。
【００８４】
こうすれば、放電対向電極（第２電極）５２とリブ（突部）２１との接触面積が増大し、より十分にカバー２０の除電を行うことができるようになる。
【００８５】
また、放電対向電極（第２電極）５２をリブ２１に圧入嵌合させることで、放電対向電極（第２電極）５２がリブ２１から抜けてしまうのが抑制され、より確実かつより安定的にカバー２０の除電を行うことができるようになる。
【００８６】
また、上記実施形態では、リブ（突部）が接触する放電対向電極（第２電極）を有するイオン生成部としてミスト生成部を例示したが、金属微粒子生成部に本発明を適用することも可能である。
【００８７】
また、上記実施形態では、イオン生成部として、金属微粒子およびマイナスイオンを生成する金属微粒子生成部を例示したが、金属微粒子は生成せず、単にマイナスイオンを生成するものを用いてもよい。
【００８８】
また、プラスイオンを生成するイオン生成装置にあっても、本発明を適用することができる。
【００８９】
また、上記実施形態では、ミスト生成部およびマイナスイオン生成部として放電極（第１電極）と対向する放電対向電極（第２電極）を有するものを例示したが、第２電極を放電極（第１電極）と対向しない位置に設けたものを用いてもよい。
【００９０】
また、上記実施形態では、金属微粒子吹出口（イオン吹出口）を２つ形成したものを例示したが、金属微粒子吹出口（イオン吹出口）を３つ以上形成することも可能である。
【００９１】
また、上記実施形態では、分岐流によって、金属微粒子およびミストを吹き出すようにしたものを例示したが、分岐流がない場合でも、金属微粒子およびミストを対応する吹出口から吹き出すことができる。
【００９２】
また、ヘアブラシ、ヘアアイロン等他の髪ケア装置にあっても、本発明を実施することができる。
【００９３】
また、カバーやケース、その他細部のスペック（形状、大きさ、レイアウト等）も適宜に変更可能である。
【符号の説明】
【００９４】
１  ヘアドライヤ（髪ケア装置）
２０  カバー
２０ａ、２０ｂ  金属微粒子吹出口（イオン吹出口）
２０ｃ  ミスト吹出口（イオン吹出口）
２１  リブ（突部）
３０、４０  金属微粒子生成部（イオン生成部）
３２，４２  放電極（第１電極）
３３，４３  放電対向電極（第２電極）
５０  ミスト生成部（イオン生成部）
５１  放電極（第１電極）
５２  放電対向電極（第２電極）
５２ｇ  前面
５２ｈ  側面
５２ｉ  後面
５５  固定用リブ
１００  イオン生成装置
【図１】
2013081646.tif 000003
【図２】
2013081646.tif 000004
【図３】
2013081646.tif 000005
【図４】
2013081646.tif 000006
【図５】
2013081646.tif 000007
【図６】
2013081646.tif 000008
【図７】
2013081646.tif 000009
【図８】
2013081646.tif 000010
【図９】
2013081646.tif 000011